(57)【要約】【課題】　面倒な墨出し作業をすることなく、複数の床材を基礎床面上に容易に整列させることができる、床材の整列装置を提供する。【解決手段】　床材２の整列装置３は、支持具６と線材７とからなる。支持具６は、床材２、２の延出部２ｄ、２ｄに着脱可能に取り付けられる被取付部６ａと、その被取付部６ａが延出部２ｄ、２ｄに取り付けられた状態で延出部２ｄ、２ｄの先端部２ｅ、２ｅに沿う直線上に位置する支持部６ｂとを有する。そして、線材７は、一端側が支持部６ｂに支持されて、前記延出部２ｄ、２ｄの先端部２ｅ、２ｅに沿う直線上に張られる。これにより、前記直線上に張られた線材７に沿って、複数の床材２、２を基礎床面１上に整列させることができる。【選択図】　図６
2004003385.tif 000002
【特許請求の範囲】
【請求項１】
　基礎床面上に配置される床材を、整列させる整列装置であって、
　支持具と線材とを備え、
　前記支持具は、前記床材の取付部に着脱可能に取り付けられる被取付部と、その被取付部が前記取付部に取り付けられた状態で前記床材が備える整列基準に沿う直線上に位置する支持部とを有し、
　前記線材は、一端側が前記支持部に支持されて前記整列基準に沿う直線上に張られることを特徴とする、床材の整列装置。
【請求項２】
　前記整列基準は、前記床材の端縁からなることを特徴とする請求項１に記載の、床材の整列装置。
【請求項３】
　前記支持具は、互いに隣合って前記端縁が略当接して配置される二つの前記床材の前記取付部間に架設されることを特徴とする請求項２に記載の、床材の整列装置。
【請求項４】
　前記取付部は、前記床材の各コーナー部分に設けられていることを特徴とする請求項２または３に記載の、床材の整列装置。
【請求項５】
　前記取付部は、前記床材の各辺の中央部分寄りの位置に設けられていることを特徴とする請求項１に記載の、床材の整列装置。
【請求項６】
　前記取付部は、前記整列基準ともなっていることを特徴とする請求項５に記載の、床材の整列装置。
【請求項７】
　前記整列基準は、床材の中央に設けられていることを特徴とする請求項５に記載の、床材の整列装置。
【請求項８】
　基礎床面上に配置される床材を、整列させるための支持具であって、
　前記床材の取付部に着脱可能に取り付けられる被取付部と、その被取付部が前記取付部に取り付けられた状態で前記床材が備える整列基準に沿う直線上に位置する支持部とを有し、
　前記支持部は、前記整列基準に沿う直線上に張られる線材の一端側を支持することを特徴とする支持具。
【請求項９】
　基礎床面上に配置される床材と、その床材を前記基礎床面上に整列させる整列装置とからなり、
　前記床材は、取付部を有し、
　前記整列装置は、支持具と線材とを備え、
　前記支持具は、前記取付部に着脱可能に取り付けられる被取付部と、その被取付部が前記取付部に取り付けられた状態で前記床材が備える整列基準に沿う直線上に位置する支持部とを有し
　前記線材は、一端側が前記支持部に支持されて前記整列基準に沿う直線上に張られることを特徴とする床材装置。
【請求項１０】
　基礎床面上に床材を整列させる整列方法であって、
　最初の前記床材を前記基礎床面上に配置するとともに、前記最初の床材の取付部に、支持部を備える支持具を、前記支持部が前記最初の床材が備える整列基準に沿う直線上に位置するようにして、着脱可能に取り付け、
　一端側が前記支持部に支持された線材を、前記整列基準に沿う直線上に張り、
　後の前記床材を、その床材の整列基準が、前記線材に沿うように前記基礎床面上に配置することで、
　前記最初の床材および前記後の床材を、前記線材に沿って整列させることを特徴とする、床材の整列方法。
【発明の詳細な説明】
【技術分野】
【０００１】
　この発明は、複数の床材を基礎床面上に容易に整列させることができる、床材の整列装置、支持具、床材装置、および床材の整列方法に関するものである。
【背景技術】
【０００２】
　従来、例えば、配線溝を有する床材を、基礎床面上に配置するにあたって、複数の床材が、直状に整列するように、基礎床面上に墨出しを行い、その墨出し線に沿って床材を配置していた。
【発明の開示】
【発明が解決しようとする課題】
【０００３】
　しかしながら、前述する墨だし作業は、面倒であった。また、床材を墨出し線に沿って基礎床面上に配置すると、その配置された床材によって墨出し線が隠れることもあり、その結果、床材が正しい位置に配置されるよう微調整する必要があった。
【０００４】
　この発明は、上記した従来の欠点を解決するためになされたものであり、その目的とするところは、面倒な墨出し作業をすることなく、複数の床材を基礎床面上に容易に整列させることができる、床材の整列装置、支持具、床材装置、および床材の整列方法を提供することにある。
【課題を解決するための手段】
【０００５】
　この発明に係る床材の整列装置、支持具、床材装置、および床材の整列方法は、前記目的を達成するために、次の構成からなる。すなわち、
　 請求項１に記載の発明に係る床材の整列装置は、基礎床面上に配置される床材を、整列させる整列装置であって、支持具と線材とを備える。前記支持具は、前記床材の取付部に着脱可能に取り付けられる被取付部と、その被取付部が前記取付部に取り付けられた状態で前記床材が備える整列基準に沿う直線上に位置する支持部とを有する。そして、前記線材は、一端側が前記支持部に支持されて前記整列基準に沿う直線上に張られる。
【０００６】
　これにより、床材を基礎床面上に整列させるには、最初の床材を基礎床面上に配置するとともに、最初の床材の取付部に、支持具の被取付部を取り付ける。そして、一端側が支持部に支持された線材を、最初の床材の整列基準に沿う直線上に張る。次いで、後の床材を、その床材の整列基準が、前記直線上に張られた線材に沿うように基礎床面上に配置する。こうして、前記最初の床材および前記後の床材が、前記線材に沿って基礎床面上に整列する。そして、この整列装置の支持具は、床材の取付部に着脱可能に取り付けられるものであり、床材を線材に沿って整列させた後には、この整列装置を床材から取り除くことができる。
【０００７】
　また、請求項２に記載の発明に係る床材の整列装置のように、請求項１に記載の整列装置において、前記整列基準は、前記床材の端縁からなってもよい。これにより、線材は、最初の床材の、整列基準となる端縁に沿う直線上に張られ、そして、後の床材は、その床材の整列基準となる端縁が、前記直線上に張られた線材に沿うように基礎床面上に配置される。このとき、床材を、線材を間に置く一方側に配置することで、床材を線材に沿って一列に整列させてもよいが、その他に、床材を、線材を間に置く両側に配置することで、床材を線材に沿って二列に整列させてもよい。
【０００８】
　また、請求項３に記載の発明に係る床材の整列装置のように、請求項２に記載の整列装置において、前記支持具は、互いに隣合って前記端縁が略当接して配置される二つの前記床材の前記取付部間に架設されてもよい。これにより、支持具は、二つの最初の床材に架設されて、一端側が支持部に支持された線材は、これら二つの床材の略当接する端縁に沿う直線上に張られる。そして、後の床材は、その端縁が、直線上に張られた線材に沿うようにして、線材を間に置く両側に配置される。こうして、前記最初の床材および前記後の床材が、前記一本の線材に沿って基礎床面上に二列に整列する。
【０００９】
　また、請求項４に記載の発明に係る床材の整列装置のように、請求項２または３に記載の整列装置において、前記取付部は、前記床材の各コーナー部分に設けられていてもよい。
【００１０】
　また、請求項５に記載の発明に係る床材の整列装置のように、請求項１に記載の整列装置において、前記取付部は、前記床材の各辺の中央部分寄りの位置に設けられていてもよい。
【００１１】
　また、請求項６に記載の発明に係る床材の整列装置のように、請求項５に記載の整列装置において、前記取付部は、前記整列基準ともなっていてもよい。
【００１２】
　また、請求項７に記載の発明に係る床材の整列装置のように、請求項５に記載の整列装置において、前記整列基準は、床材の中央に設けられていてもよい。
【００１３】
　また、請求項８に記載の発明に係る支持具は、基礎床面上に配置される床材を、整列させるための支持具である。この支持具は、前記床材の取付部に着脱可能に取り付けられる被取付部と、その被取付部が前記取付部に取り付けられた状態で前記床材が備える整列基準に沿う直線上に位置する支持部とを有する。そして、前記支持部は、前記整列基準に沿う直線上に張られる線材の一端側を支持する。これにより、床材を基礎床面上に整列させるには、最初の床材を基礎床面上に配置するとともに、最初の床材の取付部に、支持具の被取付部を取り付ける。そして、一端側が支持部に支持された線材を、最初の床材の整列基準に沿う直線上に張る。次いで、後の床材を、その床材の整列基準が、直線上に張られた線材に沿うように基礎床面上に配置する。こうして、前記最初の床材および前記後の床材が、前記線材に沿って基礎床面上に整列する。そして、この支持具は、床材の取付部に着脱可能に取り付けられるものであり、床材を線材に沿って整列させた後には、この支持具を床材から取り除くことができる。
【００１４】
　また、請求項９に記載の発明に係る床材装置は、基礎床面上に配置される床材と、その床材を前記基礎床面上に整列させる整列装置とからなる。前記床材は、取付部を有する。一方、前記整列装置は、支持具と線材とを備える。そして、前記支持具は、前記取付部に着脱可能に取り付けられる被取付部と、その被取付部が前記取付部に取り付けられた状態で前記床材が備える整列基準に沿う直線上に位置する支持部とを有する。さらに、前記線材は、一端側が前記支持部に支持されて前記整列基準に沿う直線上に張られる。
【００１５】
　これにより、床材を整列装置によって基礎床面上に整列させるには、最初の床材を基礎床面上に配置するとともに、最初の床材の取付部に、支持具の被取付部を取り付ける。そして、一端側が支持部に支持された線材を、最初の床材の整列基準に沿う直線上に張る。次いで、後の床材を、その床材の整列基準が、直線上に張られた線材に沿うように基礎床面上に配置する。こうして、前記最初の床材および前記後の床材が、前記線材に沿って基礎床面上に整列する。そして、整列装置の支持具は、床材の取付部に着脱可能に取り付けられるものであり、床材を線材に沿って整列させた後には、整列装置を床材から取り除くことができる。
【００１６】
　また、請求項１０に記載の発明に係る床材の整列方法は、基礎床面上に床材を整列させる整列方法であって、最初の前記床材を前記基礎床面上に配置するとともに、前記最初の床材の取付部に、支持部を備える支持具を、前記支持部が前記最初の床材が備える整列基準に沿う直線上に位置するようにして、着脱可能に取り付ける。そして、一端側が前記支持部に支持された線材を、前記整列基準に沿う直線上に張り、後の前記床材を、その床材の整列基準が、前記線材に沿うように前記基礎床面上に配置することで、前記最初の床材および前記後の床材を、前記線材に沿って整列させるものである。
【００１７】
　このように、最初の床材の取付部に取り付けられる支持具に支持されて、整列基準に沿う直線上に張られた線材に沿って、後の床材を配置することで、最初の床材および後の床材を線材に沿って整列させることができる。そして、支持具は、床材の取付部に着脱可能に取り付けられるものであり、床材を線材に沿って整列させた後には、この支持具を床材から取り除くことができる。
【発明の効果】
【００１８】
　以上、詳述したところから明らかなように、この発明に係る床材の整列装置、支持具、床材装置、および床材の整列方法によれば、次の効果がある。
【００１９】
　請求項１および２、４ないし７に記載された床材の整列装置、請求項８に記載された支持具、請求項９に記載された床材装置、並びに請求項１０に記載された床材の整列方法によれば、床材が線材に沿って基礎床面上に整列するので、面倒な墨出し作業をすることなく、複数の床材を基礎床面上に容易に整列させることができる。
【００２０】
　また、請求項３に記載された床材の整列装置によれば、加えて、複数の床材を一本の線材に沿って基礎床面上に二列に整列させることができる。
【発明を実施するための最良の形態】
【００２１】
　以下、この発明に係る床材の整列装置、支持具、床材装置、および床材の整列方法の最良の形態を図面に基づいて説明する。
【００２２】
　図１ないし図１０は、本発明に係る床材の整列装置、支持具、床材装置、および床材の整列方法の第一の実施の形態を示す。図中符号１は、基礎床面である。２は、基礎床面１上に配置される床材である。３は、基礎床面１上に配置される床材２を、整列させる整列装置である。そして、床材装置４は、床材２と整列装置３とから構成されている。
【００２３】
　ここで、床材２は、例えば、ポリプロピレン樹脂等の合成樹脂材料からなり、床を形成すべく、平面視が略正方形で、上面２ｂが平らな所定高さの床材本体２ａを備えている。床材２は、この床材本体２ａが、例えば、前後左右に通る配線溝５、５を形成するように所定間隔をおいて基礎床面１上に配置される（図１０参照）。そして、床材本体２ａには、その上面２ｂの縁部全周に、帯状に一段下がった段部２ｃが形成されている。
【００２４】
　また、床材２は、基礎床面１上に配置されるこれら床材２、２の床材本体２ａ、２ａ間に配線溝５を確保するように、そして、配線溝５内に収容されるケーブル（図示せず）の上方を覆ってそのケーブルの飛び出しを防止するように、延出部２ｄ、２ｄが、床材本体２ａから配線溝５の上側に延出している。この延出部２ｄは、床材本体２ａの一辺につきその両端付近の側面の、段部２ｃよりも若干下がった位置から、配線溝５側に水平にかつ薄板状に延びており、さらにその先端部２ｅは、折れ曲がって下方に若干延びている。そして、この延出部２ｄは、先端部２ｅが、隣合って配置される他の床材２が有する他の延出部２ｄの先端部２ｅと相互に当接し合うように延びており、配線溝５を形成するための位置決め手段ともなっている。さらに、延出部２ｄは、薄板状に形成されているので、この材料の持つ弾性により、上下に弾性的に撓むことができる。こうして、延出部２ｄ、２ｄが水平位置から下方または上方に撓んで、その両先端部２ｅ、２ｅ間が開くことで、ケーブルを配線溝５へ入れたり、配線溝５内に収容されたケーブルを配線溝５から出したりすることができる。
【００２５】
　その後、床材２、２の上に、略正方形状のカーペット（図示せず）が敷きつめられる。このカーペットの下面には、十文字状に蓋板（図示せず）が貼り付けられており、カーペットが床材２、２の上に敷かれたとき、蓋板が、隣合う床材２、２の段部２ｃ、２ｃに架け渡されるようにして、配線溝５の上面側が塞がれる構造となっている。
【００２６】
　一方、整列装置３は、支持具６と線材７とからなっている。支持具６は、図２および図３に示すように、例えば、ステンレス鋼板等のバネ性のある板材が、床材２、２の延出部２ｄ、２ｄを上下で挟むように、折り返されて形成されている。こうして、床材２の延出部２ｄが取付部となり、支持具６全体が、被取付部６ａとなって、支持具６は、互いに隣合って前記先端部２ｅ、２ｅが略当接して配置される床材２、２の延出部２ｄ、２ｄ間に架設されるようにして、それら延出部２ｄ、２ｄに着脱可能に取り付けられる（図４、５参照）。そして、支持具６の、折り返された上側の先端部分の幅中央部は、線材７を支持する支持部６ｂとなっており、この支持部６ｂには、貫通孔６ｃが形成されている。そして、この支持部６ｂは、被取付部６ａが床材２の延出部２ｄに取り付けられた状態で、床材２の整列基準となるとともに端縁ともなる、延出部２ｄの先端部２ｅに沿う直線上に位置することとなる。また、線材７は、水糸等の糸やワイヤー等からなり、一端側が支持具６の貫通孔６ｃに通されて、支持部６ｂに結びつけられる。こうして、線材７は、支持部６ｂに支持されて、延出部２ｄの先端部２ｅに沿う直線上に張られる。
【００２７】
　次に、以上の構成からなる床材２および整列装置３における、床材２の整列方法を、作用効果とともに説明する。まず、図４および図５に示すように、基礎床面１上に、二つの最初の床材２、２を、延出部２ｄ、２ｄの先端部２ｅ、２ｅが略当接するようにして左右に互いに隣合って配置するとともに、これら最初の床材２、２の略当接する延出部２ｄ、２ｄに、支持具６の被取付部６ａを嵌めるようにして取り付けることで、延出部２ｄ、２ｄ間に、支持具６を架設する。このとき、支持具６の支持部６ｂが最初の床材２、２の延出部２ｄ、２ｄの先端部２ｅ、２ｅに沿う直線上に位置するようにして、一端側が支持部６ｂに支持された線材７を、延出部２ｄ、２ｄの先端部２ｅ、２ｅに沿って前後方向に延びる直線上に張り、線材７の他端側を、例えば、部屋の壁面等（図示せず）に止める。
【００２８】
　その後、図６に示すように、後の床材２、２を、順次、その延出部２ｄ、２ｄの先端部２ｅ、２ｅが、直線上に張られた線材７に沿うようにして、線材７を間に置く両側に配置する。こうして、最初の床材２、２および後の床材２、２を、前後方向に延びる一本の線材７に沿って、基礎床面１上に二列に整列させる。また、このとき、配線溝５は、床材２、２の延出部２ｄ、２ｄによって、線材７を間に置く床材２、２の床材本体２ａ、２ａ間に確保されて、線材７に沿って前後方向に整列して延びることとなる。
【００２９】
　次いで、図７に示すように、前後に互いに隣合って配置される床材２、２の、略当接する延出部２ｄ、２ｄに、前記と同様に、支持具６を架設して、一端側が支持部６ｂに支持された線材７を、延出部２ｄ、２ｄの先端部２ｅ、２ｅに沿って左右方向に延びる直線上に張る。
【００３０】
　その後、図８に示すように、前後方向に整列する床材２、２と同様にして、左右方向においても、床材２、２を、左右方向に延びる一本の線材７に沿って、基礎床面１上に二列に整列させる。このとき、配線溝５もまた、同様に、線材７に沿って左右方向に整列して延びる。
【００３１】
　次いで、図９に示すように、左右または前後に互いに隣合って配置される床材２、２の、略当接する延出部２ｄ、２ｄに、前記と同様に、支持具６を架設して、一端側が支持部６ｂに支持された線材７を、延出部２ｄ、２ｄの先端部２ｅ、２ｅに沿って前後方向または左右方向に延びる直線上に張る。こうして、線材７、７が、前後方向および左右方向に延びるようにして、五番目状に張られる。
【００３２】
　その後、図１０に示すように、五番目状に張られた線材７、７に沿って、床材２、２を基礎床面１上に前後左右の方向に整列させる。このとき、配線溝５、５もまた、線材７、７に沿って前後左右の方向に整列して延びることとなる。さらに、床材２、２を線材７，７に沿って整列させた後には、支持具６、６を線材７、７とともに床材２、２から取り除く（図示せず）。もっとも、支持具６を備える整列装置３を床材２、２から取り除くのは、全ての床材２、２を整列させた後でなくとも、段階を追って床材２、２が整列するところの適宜時点で、順次取り除いてもよい。
【００３３】
　このようにして、床材２、２が、整列装置３の線材７に沿って基礎床面１上に整列することとなり、面倒な墨出し作業をすることなく、複数の床材２、２を基礎床面１上に容易に整列させることができる。そして、配線溝５を、床材２、２の延出部２ｄ、２ｄによって、床材本体２ａ、２ａ間に確保することができ、さらに、この配線溝５を、線材７に沿って整列させて延ばすことができる。
【００３４】
　図１１ないし図１４は、本発明に係る床材の整列装置、支持具、床材装置、および床材の整列方法の第二の実施の形態を示す。この第二の実施の形態は、第一の実施の形態とは、床材および支持具の形状が異なり、支持具が床材間に架設されることなく一つの床材に取り付けられる点が異なるが、他はほぼ同様であり、以下に、異なる点を主に説明する。
【００３５】
　床材１１は、図１１に示すように、第一の実施の形態に示す床材２の床材本体２ａとほぼ同様の形状であり、延出部２ｄは設けられていない。そして、床材１１の上面１１ａの縁部全周に形成された段部１１ｂの各コーナー部分には、支持具１２（１３）を取り付けるための取付部となる取付穴１１ｃが四つ前後左右に並んで形成されている。
【００３６】
　支持具は、第１の支持具１２と、第２の支持具１３との二種類が設けられている。第１の支持具１２は、図１２に示すように、略正方形平板状に形成された支持具本体１２ａと、床材１１の取付穴１１ｃ、１１ｃに着脱可能に取り付けられる被取付部１２ｂ、１２ｂと、線材７、７を支持する支持部１２ｃ、１２ｃとからなっている。被取付部１２ｂ、１２ｂは、床材１１の四つの取付穴１１ｃ、１１ｃにそれぞれちょうど嵌まるように、支持具本体１２ａから下方に棒状に延びている。支持部１２ｃ、１２ｃは、支持具本体１２ａの直交する二辺のそれぞれの中央から側方に突出して形成されており、第一の実施の形態と同様に、この支持部１２ｃに、貫通孔１２ｄが形成されている。そして、各支持部１２ｃは、被取付部１２ｂ、１２ｂが床材１１の取付穴１１ｃ、１１ｃに取り付けられた状態で、床材１１の整列基準となるとともに端縁ともなる直交する各側面１１ｄに沿う直線上に位置することとなる。そして、二本の線材７、７の一端側が、それぞれ第１の支持具１２の各貫通孔１２ｄに通されて、支持部１２ｃに結びつけられ、床材１１の直交する各側面１１ｄに沿う直線上に張られる。
【００３７】
　第２の支持具１３は、図１３に示すように、長方形平板状に形成された支持具本体１３ａと、床材１１の取付穴１１ｃ、１１ｃに着脱可能に取り付けられる被取付部１３ｂ、１３ｂと、線材７を支持する支持部１３ｃとからなっている。被取付部１３ｂ、１３ｂは、床材１１の二つの取付穴１１ｃ、１１ｃにそれぞれちょうど嵌まるように、支持具本体１３ａから下方に棒状に延びている。支持部１３ｃは、支持具本体１３ａの短辺の中央から側方に突出して形成されており、この支持部１３ｃに、貫通孔１３ｄが形成されている。そして、支持部１３ｃは、被取付部１３ｂ、１３ｂが床材１１の取付穴１１ｃ、１１ｃに取り付けられた状態で、床材１１の整列基準となるとともに端縁ともなる側面１１ｄに沿う直線上に位置することとなる。そして、線材７の一端側が、第２の支持具１３の貫通孔１３ｄに通されて、支持部１３ｃに結びつけられ、床材１１の側面１１ｄに沿う直線上に張られる。
【００３８】
　図１４は、第一の実施の形態における図１０相当図であり、第二の実施の形態においては、床材１１は、線材７を間に置く一方側に間隔をあけて配置されて、各線材７に沿って一列に整列する。そして、五番目状に張られた線材７、７に沿って、床材１１、１１は、基礎床面１上に前後左右の方向に整列する。このとき、隣合う床材１１、１１間に形成される配線溝５、５もまた、線材７、７に沿って前後左右の方向に整列して延びることとなる。
【００３９】
　図１５ないし図１７は、本発明に係る床材の整列装置、支持具、床材装置、および床材の整列方法の第三の実施の形態を示す。この第三の実施の形態は、第一の実施の形態とは、床材および支持具の形状が異なるが、他はほぼ同様であり、以下に、異なる点を主に説明する。
【００４０】
　床材２１は、図１５に示すように、平面視が略正方形で、上面２１ａが平らな所定高さの複数のブロック部２１ｂ、２１ｂが、床材２１の内部に配線溝５、５を形成するようにして、所定間隔を置いて前後左右に並ぶものである。ここで、ブロック部２１ｂ、２１ｂは、配線溝５、５の底面となるとともにブロック部２１ｂ、２１ｂと一体に樹脂成形される薄板状の連結部２１ｃ、２１ｃによって、互いに連結されている。そして、ブロック部２１ｂの上面２１ａであって、この床材２１の各コーナー部分には、支持具２２を取り付けるための取付部となる取付穴２１ｄが一つ形成されている。そして、この床材２１、２１は、端縁となる側面２１ｅ、２１ｅが略当接するようにして、基礎床面１上に配置される。
【００４１】
　支持具２２は、図１６に示すように、長方形平板状に形成された支持具本体２２ａと、床材２１、２１の取付穴２１ｄ、２１ｄに着脱可能に取り付けられる被取付部２２ｂ、２２ｂと、線材７を支持する支持部２２ｃとからなっている。被取付部２２ｂ、２２ｂは、互いに隣合って側面２１ｅ、２１ｅが略当接して配置される二つの床材２１、２１の取付穴２１ｄ、２１ｄにそれぞれちょうど嵌まるように、支持具本体２２ａから下方に棒状に延びている。こうして、支持具２２は、互いに隣合って側面２１ｅ、２１ｅが略当接して配置される二つの床材２１、２１の取付穴２１ｄ、２１ｄ間に架設される。また、支持部２２ｃは、支持具本体２２ａの長辺の中央から側方に突出して形成されており、この支持部２２ｃに、貫通孔２２ｄが形成されている。そして、支持部２２ｃは、被取付部２２ｂ、２２ｂが床材２１、２１の取付穴２１ｄ、２１ｄに取り付けられた状態で、床材２１、２１の整列基準となるとともに端縁ともなる側面２１ｅ、２１ｅに沿う直線上に位置することとなる。そして、線材７の一端側が、支持具２２の貫通孔２２ｄに通されて、支持部２２ｃに結びつけられ、床材２１、２１の側面２１ｅ、２１ｅに沿う直線上に張られる。
【００４２】
　図１７は、第一の実施の形態における図１０相当図であり、第三の実施の形態においては、第一の実施の形態と同様に、床材２１、２１は、線材７を間に置く両側に間隔を詰めて配置されて、各線材７に沿って二列に整列する。そして、五番目状に張られた線材７、７に沿って、床材２１、２１は、基礎床面１上に前後左右の方向に整列する。このとき、床材２１、２１の内部にある配線溝５、５もまた、前後左右の方向に整列して延びることとなる。
【００４３】
　図１８は、本発明に係る床材の整列装置、支持具、床材装置、および床材の整列方法の第四の実施の形態を示す。この第四の実施の形態は、第三の実施の形態とは、床材および支持具の形状が若干異なり、支持具が床材間に架設されることなく一つの床材に取り付けられる点が異なるが、他はほぼ同様であり、以下に、異なる点を主に説明する。
【００４４】
　床材３１は、図１８に示すように、第三の実施の形態に示す床材２１と同様にブロック部３１ｂ、３１ｂおよび連結部３１ｃ、３１ｃを備えるが、支持具を取り付けるための取付部となる取付穴３１ｄ、３１ｄは、ブロック部３１ｂの上面３１ａであって、この床材２１の各辺の中央部分寄りの位置に、それぞれ二つ形成されている。ここで、取付穴３１ｄ、３１ｄは、後述する支持具３２を取り付けるための取付部となるだけでなく、床材３１を整列するための整列基準ともなっている。さらに、床材３１は、ブロック部３１ｂの上面３１ａであって、この床材３１の中央に、整列基準となる、例えば、十字状のマーキング３１ｆが設けられている。こうして、第四の実施の形態においては、取付穴３１ｄ、３１ｄおよびマーキング３１ｆが、整列基準となっている。
【００４５】
　また、支持具３２は、第三の実施の形態に示す支持具２２とは形状が若干異なり、第二の実施の形態に示す第２の支持具１３とほぼ同一形状である。すなわち、支持具３２は、第２の支持具１３と同様に、支持具本体３２ａ、被取付部３２ｂ、３２ｂ、支持部３２ｃおよび貫通孔３２ｄを備えるが、その支持部３２ｃは、支持具本体３２ａよりも板厚の半分程上方にずれて位置している。この支持部３２ｃは、被取付部３２ｂ、３２ｂが最初の床材３１の取付穴３１ｄ、３１ｄに取り付けられた状態で、その最初の床材３１の取付穴３１ｄ、３１ｄおよびマーキング３１ｆに沿う直線上に位置することとなる。そして、線材７の一端側が、支持具３２の貫通孔３２ｄに通されて、支持部３２ｃに結びつけられ、取付穴３１ｄ、３１ｄおよびマーキング３１ｆに沿う直線上に張られる。このとき、支持部３２ｃが、支持具本体３２ａよりも上方にずれて位置していて、支持部３２ｃの下面は、支持本体３２の下面よりも上方に浮き上がった状態となっていることから、線材７を、床材３１の上面３１ａに触れることなく、張ることができる。
【００４６】
　そして、後の床材３１（図示せず）は、その床材３１の取付穴３１ｄ、３１ｄおよびマーキング３１ｆが、張られた線材７に沿うようにして基礎床面１上に配置される。このとき、後の床材３１は、張られた線材７をくぐるようにして基礎床面１上に配置されてもよいが、線材７を張る前に予め基礎床面１上の概略の位置に置かれていてもよい。また、線材７は、後の床材３１の上面３１ａとも触れることがないので、床材３１の整列作業が容易となっている。
【００４７】
　なお、本発明は、上述した実施の形態に限定されるわけではなく、その他種々の変更が可能である。例えば、第一の実施の形態において、床材２の延出部２ｄは、床材本体２ａ、２ａ間に配線溝５を確保するとともにケーブルの飛び出しを防止するように、配線溝５の上側に延出しているが、床材本体２ａ、２ａ間に配線溝５を確保するためだけであれば、この延出部２ｄは、配線溝５の下側に延出してもよい。
【００４８】
　また、第一の実施の形態において、床材２の延出部２ｄは、床材２の各辺から延びているが、直交する二辺のみから延びてもよい。この場合、延出部２ｄは、その先端部２ｅが、隣合って配置される他の床材２の端縁となる床材本体２ａの側面と略当接する。
【００４９】
　また、第四の実施の形態において、整列基準として、取付穴３１ｄ、３１ｄおよびマーキング３１ｆが設けられているが、両者を整列基準としなくとも、取付穴３１ｄ、３１ｄのみを整列基準とし、マーキング３１ｆは設けなくともよい。さらに、マーキング３１ｆが複数箇所にある場合や、直線状に延びている場合には、マーキング３１ｆのみを整列基準としてもよい。
【００５０】
　また、支持具６、１２、１３、２２における支持部６ｂ、１２ｃ、１３ｃ、２２ｃは、線材７を支持することができればよく、貫通孔以外の、例えば、鉤形状のフック、スリット等を備えるものであってもよい。
【図面の簡単な説明】
【００５１】
【図１】この発明に係る床材の整列装置、支持具、床材装置、および床材の整列方法の第一の実施の形態の、床材の拡大斜視図である。
【図２】同じく、支持具の拡大平面図である。
【図３】同じく、支持具の拡大側面図である。
【図４】同じく、床材の整列方法を示す第１番目の図となる平面図である。
【図５】同じく、図４におけるＡ−Ａ線による要部拡大断面図である。
【図６】同じく、床材の整列方法を示す第２番目の図となる平面図である。
【図７】同じく、床材の整列方法を示す第３番目の図となる平面図である。
【図８】同じく、床材の整列方法を示す第４番目の図となる平面図である。
【図９】同じく、床材の整列方法を示す第５番目の図となる平面図である。
【図１０】同じく、床材の整列方法を示す第６番目の図となる平面図である。
【図１１】この発明に係る床材の整列装置、支持具、床材装置、および床材の整列方法の第二の実施の形態の、床材の拡大斜視図である。
【図１２】同じく、第１の支持具の拡大斜視図である。
【図１３】同じく、第２の支持具の拡大斜視図である。
【図１４】同じく、図１０相当図である。
【図１５】この発明に係る床材の整列装置、支持具、床材装置、および床材の整列方法の第三の実施の形態の、床材の拡大斜視図である。
【図１６】同じく、支持具の拡大斜視図である。
【図１７】同じく、図１０相当図である。
【図１８】この発明に係る床材の整列装置、支持具、床材装置、および床材の整列方法の第四の実施の形態の、拡大斜視図である。
【符号の説明】
【００５２】
　１　基礎床面　　　　　　　　　　２　床材
　２ｄ　延出部（取付部）　　　　　２ｅ　先端部（整列基準、端縁）
　３　整列装置　　　　　　　　　　４　床材装置
　５　配線溝　　　　　　　　　　　６　支持具
　６ａ　被取付部　　　　　　　　　６ｂ　支持部
　７　線材　　　　　　　　　　　　１１　床材
　１１ｃ　取付穴（取付部）　　　　１１ｄ　側面（整列基準、端縁）
　１２　第１の支持具（支持具）　　１２ｂ　被取付部
　１２ｃ　支持部　　　　　　　　　１３　第２の支持具（支持具）
　１３ｂ　被取付部　　　　　　　　１３ｃ　支持部
　２１　床材　　　　　　　　　　　２１ｄ　取付穴（取付部）
　２１ｅ　側面（整列基準、端縁）　２２　支持具
　２２ｂ　被取付部　　　　　　　　２２ｃ　支持部
　３１　床材　　　　　　　　　　　３１ｄ　取付穴（取付部、整列基準）
　３１ｆ　マーキング（整列基準）　３２　支持具
　３２ｂ　被取付部　　　　　　　　３２ｃ　支持部
【図１】
2004003385.tif 000003
【図２】
2004003385.tif 000004
【図３】
2004003385.tif 000005
【図４】
2004003385.tif 000006
【図５】
2004003385.tif 000007
【図６】
2004003385.tif 000008
【図７】
2004003385.tif 000009
【図８】
2004003385.tif 000010
【図９】
2004003385.tif 000011
【図１０】
2004003385.tif 000012
【図１１】
2004003385.tif 000013
【図１２】
2004003385.tif 000014
【図１３】
2004003385.tif 000015
【図１４】
2004003385.tif 000016
【図１５】
2004003385.tif 000017
【図１６】
2004003385.tif 000018
【図１７】
2004003385.tif 000019
【図１８】
2004003385.tif 000020